【事件の表示】
　特願２０１２−１７６２４０号「遊技機」拒絶査定不服審判事件〔平成２５年１２月２６日出願公開、特開２０１３−２５５７７３号〕について、次のとおり審決する。
【結　論】
　本件審判の請求は、成り立たない。
【理　由】
第１　手続の経緯
　本願は、平成２４年８月８日（優先権主張：平成２４年５月１５日）の出願であって、平成２８年４月１８日付けで拒絶の理由が通知され、同年６月２３日に意見書及び手続補正書が提出され、同年８月９日付けで最後の拒絶の理由が通知され、同年１０月２４日に意見書及び手続補正書が提出され、平成２９年２月１日付け（発送日：２月１４日）で補正却下の決定とともに拒絶査定がなされ、これに対して、平成２９年５月１５日付けで拒絶査定不服審判の請求がなされるとともに手続補正（以下、「本件補正」という。）がなされたものである。
第２　本件補正についての補正却下の決定
［補正却下の決定の結論］
　本件補正を却下する。
［理由］
１．本件補正の概要
　本件補正は特許請求の範囲の請求項１を補正する内容を含んでおり、平成２８年６月２３日付けの手続補正と本件補正の特許請求の範囲の記載はそれぞれ、以下のとおりである（下線部は、補正箇所を示す。）。
（補正前：平成２８年６月２３日付け手続補正）
「【請求項１】
　遊技媒体が通過する通過部と、
　当該通過部を遊技媒体が通過したことを検知する媒体検知手段と、
　当該媒体検知手段により前記通過部を遊技媒体が通過したことが検知されたことに基づいて予め定められた媒体検知用処理を実行する媒体検知用処理実行手段と、
　異常な事象の発生を検知する異常検知手段と、
　当該異常検知手段により前記異常な事象の発生が検知されたことに基づいて予め定められた異常検知用処理を実行する異常検知用処理実行手段と、
を備えた遊技機において、
　前記異常検知手段は、前記媒体検知手段と一体のユニット体として設けられており、
　前記ユニット体を複数有し、
　複数の前記ユニット体のうちの第１のユニット体における前記異常検知手段による検知範囲と、複数の前記ユニット体のうちの第２のユニット体における前記異常検知手段による検知範囲と、に含まれるように、遊技媒体が通過可能な特定通過部が設けられていることを特徴とする遊技機。
【請求項２】
　前記特定通過部を遊技媒体が通過したことに基づいて所定の判定を実行する判定手段と、
　遊技媒体が通過可能な第１状態と、当該第１状態よりも遊技媒体が通過しにくい又は通過できない第２状態とに切換可能な可変通過手段と、
　前記判定手段による判定結果に基づいて、前記可変通過手段を前記第２状態から前記第１状態とし、その後前記第２状態とする切換制御を実行する切換制御手段と、
を備え、
　前記第１のユニット体は、前記可変通過手段に対して設けられていることを特徴とする請求項１に記載の遊技機。」
（補正後：本件補正である平成２９年５月１５日付け手続補正）
「【請求項１】
　遊技媒体が通過する通過部と、
　当該通過部を遊技媒体が通過したことを検知する媒体検知手段と、
　当該媒体検知手段により前記通過部を遊技媒体が通過したことが検知されたことに基づいて予め定められた媒体検知用処理を実行する媒体検知用処理実行手段と、
　異常な事象の発生を検知する異常検知手段と、
　当該異常検知手段により前記異常な事象の発生が検知されたことに基づいて予め定められた異常検知用処理を実行する異常検知用処理実行手段と、
を備えた遊技機において、
　前記異常検知手段は、前記媒体検知手段と一体のユニット体として設けられており、
　前記ユニット体を複数有し、
　複数の前記ユニット体のうちの第１のユニット体における前記異常検知手段による検知範囲と、複数の前記ユニット体のうちの第２のユニット体における前記異常検知手段による検知範囲と、に含まれるように、遊技媒体が通過可能な特定通過部が設けられて
おり、
　
前記特定通過部を遊技媒体が通過したことに基づいて所定の判定を実行する判定手段と、
　
遊技媒体が通過可能な第１状態と、当該第１状態よりも遊技媒体が通過しにくい又は通過できない第２状態とに切換可能な可変通過部と、
　
前記判定手段による判定結果に基づいて、前記可変通過部を前記第２状態から前記第１状態とし、その後前記第２状態とする切換制御を実行する切換制御手段と、
　
前記可変通過部を遊技媒体が通過したことに基づいて、所定数の遊技媒体の払い出しを行う払出手段と、
　
前記払出手段による遊技媒体の払出制御を実行する払出制御手段と、
を備え、
　
前記第１のユニット体は、前記可変通過部に対して設けられており、
　
前記第２のユニット体は、前記払出手段に対して設けられていることを特徴とする遊技機。
２．補正の適否
（１）補正後の請求項１に記載された発明特定事項である「前記特定通過部を遊技媒体が通過したことに基づいて所定の判定を実行する判定手段と、遊技媒体が通過可能な第１状態と、当該第１状態よりも遊技媒体が通過しにくい又は通過できない第２状態とに切換可能な可変通過部と、前記判定手段による判定結果に基づいて、前記可変通過部を前記第２状態から前記第１状態とし、その後前記第２状態とする切換制御を実行する切換制御手段と」を備える点、及び、「前記第１のユニット体は、前記可変通過部に対して設けられて」いる点は、補正前の請求項２に記載された発明特定事項を付加したものであり、その際、補正前の「可変通過手段」を、補正後の「可変通過部」と補正し、「特定通過部」との対応関係をわかりやすくしたものである。
（２）補正後の請求項１に記載された「前記可変通過部を遊技媒体が通過したことに基づいて、所定数の遊技媒体の払い出しを行う払出手段と、前記払出手段による遊技媒体の払出制御を実行する払出制御手段と、を備え、」「前記第２のユニット体は、前記払出手段に対して設けられている」点は、補正前の請求項１に記載された発明特定事項である「第２のユニット体」について、設置箇所を特定することにより、補正前の請求項１又は２に記載された「複数の」「ユニット体」を限定するものである。
　そして、補正後の請求項１に記載された発明は、補正前の特許請求の範囲の請求項１又は請求項２に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、新規事項を追加するものではない。
３．独立特許要件
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下において検討する。
（１）本件補正後の請求項１に係る発明
　本件補正後の請求項１に係る発明（以下、「本願補正発明」という。）は、上記１．の本件補正の概要において示した次に特定されるとおりのものである（Ａ〜Ｎについては、発明特定事項を分説するため当審で付した。）。
「Ａ　遊技媒体が通過する通過部と、
Ｂ　当該通過部を遊技媒体が通過したことを検知する媒体検知手段と、
Ｃ　当該媒体検知手段により前記通過部を遊技媒体が通過したことが検知されたことに基づいて予め定められた媒体検知用処理を実行する媒体検知用処理実行手段と、
Ｄ　異常な事象の発生を検知する異常検知手段と、
Ｅ　当該異常検知手段により前記異常な事象の発生が検知されたことに基づいて予め定められた異常検知用処理を実行する異常検知用処理実行手段と、
を備えた遊技機において、
Ｆ　前記異常検知手段は、前記媒体検知手段と一体のユニット体として設けられており、
Ｇ　前記ユニット体を複数有し、
　複数の前記ユニット体のうちの第１のユニット体における前記異常検知手段による検知範囲と、複数の前記ユニット体のうちの第２のユニット体における前記異常検知手段による検知範囲と、に含まれるように、遊技媒体が通過可能な特定通過部が設けられており、
Ｈ　前記特定通過部を遊技媒体が通過したことに基づいて所定の判定を実行する判定手段と、
Ｉ　遊技媒体が通過可能な第１状態と、当該第１状態よりも遊技媒体が通過しにくい又は通過できない第２状態とに切換可能な可変通過部と、
Ｊ　前記判定手段による判定結果に基づいて、前記可変通過部を前記第２状態から前記第１状態とし、その後前記第２状態とする切換制御を実行する切換制御手段と、
Ｋ　前記可変通過部を遊技媒体が通過したことに基づいて、所定数の遊技媒体の払い出しを行う払出手段と、
Ｌ　前記払出手段による遊技媒体の払出制御を実行する払出制御手段と、
を備え、
Ｍ　前記第１のユニット体は、前記可変通過部に対して設けられており、
Ｎ　前記第２のユニット体は、前記払出手段に対して設けられていることを特徴とする遊技機。」
（２−１）刊行物１に記載された事項
　原査定の拒絶の理由に引用された本願の出願（優先日：平成２４年５月１５日）前に頒布された刊行物である特開２０１１―７８５０４号公報（以下、「刊行物１」という。）には、図面と共に次の事項が記載されている（下線は当審で付した。）。
（ア）「【００１０】
　
本発明による遊技機は、遊技球を用いて所定の遊技を行うことが可能な遊技機であって、
磁気を検出して検出信号を出力する磁気検出手段（例えば、磁界検出素子１３０）と、磁気検出手段が検出信号を出力したことにもとづいて報知を行う報知手段
とを備え
　そのような構成によれば、
不正行為を検知するための磁気検出手段
（イ）「【００２３】
　
演出表示装置９の下方には、第１始動入賞口１３を有する入賞装置が設けられている。第１始動入賞口１３に入賞した遊技球は、
第１始動口スイッチ１３ａによって検出される
【００２４】
　また、第１始動入賞口（第１始動口）１３を有する入賞装置の下方には、遊技球が入賞可能な第２始動入賞口１４を有する可変入賞球装置１５が設けられている。
第２始動入賞口（第２始動口）１４に入賞した遊技球は、
第２始動口スイッチ１４ａによって検出される
（ウ）「【００２９】
　
特別図柄の可変表示は、可変表示の実行条件である始動条件が成立（例えば、遊技球が第１始動入賞口１３または第２始動入賞口１４に入賞したこと）した後、
開始され、
表示結果（停止図柄）を導出表示する
【００３０】
　
特別図柄表示器８において、特別図柄の可変表示が開始された後、所定時間（変動時間）が経過すると、特別図柄の可変表示結果である停止図柄を停止表示（導出表示）する
（エ）「【００３８】
　また、図１に示すように、可変入賞球装置１５の下方には、特別可変入賞球装置２０が設けられている。
特別可変入賞球装置２０は開閉板を備え、特別図柄表示器８に特定表示結果（大当り図柄）が導出表示されたときに生起する特定遊技状態（大当り遊技状態）においてソレノイド２１によって開閉板が開放状態に制御されることによって、
大入賞口が開放状態になる
大入賞口に入賞した遊技球はカウントスイッチ２３で検出される
【００３９】
　遊技領域６には、遊技球の入賞にもとづいてあらかじめ決められている所定数の景品遊技球の払出を行うための入賞口（普通入賞口）２９，３０，３３，３９も設けられている。
入賞口２９，３０，３３，３９に入賞した遊技球は、入賞口スイッチ２９ａ，３０ａ，３３ａ，３９ａで検出される
（オ）「【００５０】
　なお、遊技制御用マイクロコンピュータ５６０においてＣＰＵ５６がＲＯＭ５４に格納されているプログラムに従って制御を実行するので、以下、
遊技制御用マイクロコンピュータ５６０（またはＣＰＵ５６）が実行する（または、処理を行う）ということは、具体的には、ＣＰＵ５６がプログラムに従って制御を実行することである
【００５１】
　乱数回路５０３は、
特別図柄の可変表示の表示結果により大当りとするか否か判定する
【００５２】
　また、ゲートスイッチ３２ａ、第１始動口スイッチ１３ａ、第２始動口スイッチ１４ａ、カウントスイッチ２３、入賞口スイッチ２９ａ，３０ａ，３３ａ，３９ａからの検出信号を遊技制御用マイクロコンピュータ５６０に与える入力ドライバ回路５８も主基板３１に搭載されている。なお、ドアスイッチ９６からの信号も、入力ドライバ回路５８を介して遊技制御用マイクロコンピュータ５６０に入力される。また、可変入賞球装置１５を開閉するソレノイド１６、および
大入賞口を形成する特別可変入賞球装置２０を開閉するソレノイド２１を遊技制御用マイクロコンピュータ５６０からの指令に従って駆動する
（カ）「【００５５】
　また、主基板３１には、互いに直交する３軸に沿って配置されたアモルファスワイヤに外部から与えられた磁界によるインピーダンスの変化を検出して各々の変化量にもとづく検出電圧を出力する構成の磁界検出素子（磁気センサ）１３０と、
磁界検出素子１３０の検出電圧にもとづいて磁石が遊技機近傍に存在するか否か判定する磁界検出用回路１４０
【００５６】
　
磁界検出用回路１４０は、磁石が遊技機近傍に存在すると判定した場合に、エラー信号を出力する。エラー信号は、
遊技制御用マイクロコンピュータ５６０に入力される。遊技制御用マイクロコンピュータ５６０にエラー信号が入力されると、ＣＰＵ５６は、
異常報知（不正行為発見報知）を行うための制御を実行する
（キ）「【００８２】
　タイマ割込が発生すると、ＣＰＵ５６は、図６に示すステップＳ２０〜Ｓ３５のタイマ割込処理を実行する。タイマ割込処理において、まず、電源断信号が出力されたか否か（オン状態になったか否か）を検出する電源断検出処理を実行する（ステップＳ２０）。電源断信号は、例えば電源基板に搭載されている電源監視回路が、遊技機に供給される電源の電圧の低下を検出した場合に出力する。そして、電源断検出処理において、
ＣＰＵ５６は、
第１始動口スイッチ１３ａ、第２始動口スイッチ１４ａ、カウントスイッチ２３、および入賞口スイッチ２９ａ，３０ａ，３３ａ，３９ａの検出信号を入力し、それらの状態判定を行う（スイッチ処理：ステップＳ２１）
（ク）「【００９０】
　また、
ＣＰＵ５６は、第１始動口スイッチ１３ａ、第２始動口スイッチ１４ａ、カウントスイッチ２３および入賞口スイッチ２９ａ，３０ａ，３３ａ，３９ａの検出信号にもとづく賞球個数の設定などを行う賞球処理を実行する（ステップＳ３０）。具体的には、
カウントスイッチ２３
がオンしたことにもとづく入賞検出に応じて、払出制御基板３７に搭載されている払出制御用マイクロコンピュータに賞球個数を示す払出制御コマンド（賞球個数信号）を出力する。払出制御用マイクロコンピュータは、賞球個数を示す払出制御コマンドに応じて球払出装置９７を駆動する
（ケ）「【０２１２】
　図２６は、第３の実施の形態（実施の形態３）における磁界検出素子（磁気センサ）の設置場所の一例を示す説明図である。図２６に示す例では、
４つの磁界検出素子１３０Ａ，１３０Ｂ，１３０Ｃ，１３０Ｄが、遊技盤６の外側四隅に設置されている。
磁界検出素子１３０Ａ，１３０Ｂ，１３０Ｃ，１３０Ｄの磁界検出可能範囲は、遊技盤６の前面のほぼ全体（遊技領域の全体）をカバーしている。
各々の磁界検出素子１３０Ａ，１３０Ｂ，１３０Ｃ，１３０Ｄが遊技領域の全体をカバーできるような特性を有する磁界検出素子１３０Ａ，１３０Ｂ，１３０Ｃ，１３０Ｄを使用してもよい
（コ）「【０３６１】
　なお、上記の各実施の形態および各変形例では、
始動入賞にもとづいて特別図柄表示器８に可変表示される特別図柄の停止図柄が所定の図柄の組み合わせになると大当りになるタイプの遊技機（第１種パチンコ遊技機ということにする。）
【０３６２】
　
第２種パチンコ遊技機では、電動役物の入口および特定領域が不正行為を受けやすいので、磁界検出素子１３０
は、特に、電動役物の入口および特定領域に遊技球を不正に誘導する行為を発見できるように設けられていることが好ましい。
第１種パチンコ遊技機についても、
大入賞口に遊技球を不正に誘導したりする不正行為によって遊技店が損害を被るおそれがあるので、磁界検出素子１３０
を設けることは効果的である
　上記（ア）〜（コ）の記載事項から、以下の事項が導かれる。
（ａ、ｂ）上記（イ）【００２３】には、「演出表示装置９の下方には、第１始動入賞口１３を有する入賞装置が設けられている。第１始動入賞口１３に入賞した遊技球は、・・・第１始動口スイッチ１３ａによって検出される」と、同【００２４】には、「第２始動入賞口（第２始動口）１４に入賞した遊技球は、・・・第２始動口スイッチ１４ａによって検出される」と、上記（エ）【００３８】には、「大入賞口に入賞した遊技球はカウントスイッチ２３で検出される」と、上記同【００３９】には、「入賞口２９，３０，３３，３９に入賞した遊技球は、入賞口スイッチ２９ａ，３０ａ，３３ａ，３９ａで検出される」と、それぞれ、記載されている。
　よって、刊行物１には、遊技球が入賞する第１始動入賞口１３、第２始動入賞口１４、大入賞口、入賞口２９，３０，３３，３９と、第１始動入賞口１３、第２始動入賞口１４、大入賞口、入賞口２９，３０，３３，３９の、それぞれに入賞した遊技球を検出する第１始動口スイッチ１３ａ、第２始動入賞口スイッチ１４ａ、カウントスイッチ２３、入賞口スイッチ２９ａ，３０ａ，３３ａ，３９ａが記載されているといえる。
（ｃ）上記（キ）【００８２】には、「ＣＰＵ５６は、・・・第１始動口スイッチ１３ａ、第２始動口スイッチ１４ａ、カウントスイッチ２３、および入賞口スイッチ２９ａ，３０ａ，３３ａ，３９ａの検出信号を入力し、それらの状態判定を行う（スイッチ処理：ステップＳ２１）。」、上記（ク）【００９０】には、「ＣＰＵ５６は、第１始動口スイッチ１３ａ、第２始動口スイッチ１４ａ、カウントスイッチ２３および入賞口スイッチ２９ａ，３０ａ，３３ａ，３９ａの検出信号にもとづく賞球個数の設定などを行う賞球処理を実行する（ステップＳ３０）」と記載されている。
　よって、刊行物１には、第１始動口スイッチ１３ａ、第２始動口スイッチ１４ａ、カウントスイッチ２３、および入賞口スイッチ２９ａ，３０ａ，３３ａ，３９ａの検出信号にもとづき、スイッチ処理や賞球処理を行うＣＰＵ５６が記載されているといえる。
（ｄ、ｅ）上記（ア）【００１０】には、「本発明による遊技機は、遊技球を用いて所定の遊技を行うことが可能な遊技機であって、・・・磁気を検出して検出信号を出力する磁気検出手段（例えば、磁界検出素子１３０）と、磁気検出手段が検出信号を出力したことにもとづいて報知を行う報知手段・・・とを備え」ること、「不正行為を検知するための磁気検出手段」、上記（カ）【００５５】、【００５６】には、「磁界検出素子１３０の検出電圧にもとづいて磁石が遊技機近傍に存在するか否か判定する磁界検出用回路１４０・・・は、磁石が遊技機近傍に存在すると判定した場合に、エラー信号を出力する。エラー信号は、・・・遊技制御用マイクロコンピュータ５６０に入力される。遊技制御用マイクロコンピュータ５６０にエラー信号が入力されると、ＣＰＵ５６は、・・・異常報知（不正行為発見報知）を行うための制御を実行する」ことが、それぞれ、記載されている。
　よって、刊行物１には、不正行為を検知するために磁気を検出する磁界検出素子１３０と、磁界検出素子１３０の検出電圧にもとづいて磁界検出用回路１４０が出力したエラー信号が遊技制御用マイクロコンピュータ５６０に入力されると異常報知を行うための制御を実行するＣＰＵ５６、を備えた遊技機が記載されているといえる。
（ｇ）上記（ケ）【０２１２】には、「４つの磁界検出素子１３０Ａ，１３０Ｂ，１３０Ｃ，１３０Ｄが、遊技盤６の外側四隅に設置されている。・・・磁界検出素子１３０Ａ，１３０Ｂ，１３０Ｃ，１３０Ｄの磁界検出可能範囲は、遊技盤６の前面のほぼ全体（遊技領域の全体）をカバーしている。・・・各々の磁界検出素子１３０Ａ，１３０Ｂ，１３０Ｃ，１３０Ｄが遊技領域の全体をカバーできるような特性を有する磁界検出素子１３０Ａ，１３０Ｂ，１３０Ｃ，１３０Ｄを使用してもよい」と記載されている。
　よって、刊行物１には、４つの磁界検出素子１３０Ａ，１３０Ｂ，１３０Ｃ，１３０Ｄが設置され、各々の磁界検出素子１３０Ａ，１３０Ｂ，１３０Ｃ，１３０Ｄが遊技領域の全体をカバーできるような特性を有する磁界検出素子１３０Ａ，１３０Ｂ，１３０Ｃ，１３０Ｄを使用することが記載されている。
（ｈ）上記（ウ）【００２９】には、「特別図柄の可変表示は、可変表示の実行条件である始動条件が成立（例えば、遊技球が第１始動入賞口１３または第２始動入賞口１４に入賞したこと）した後、・・・開始され、・・・表示結果（停止図柄）を導出表示する」と、同【００３０】には、「特別図柄表示器８において、特別図柄の可変表示が開始された後、所定時間（変動時間）が経過すると、特別図柄の可変表示結果である停止図柄を停止表示（導出表示）する」と、上記（オ）【００５１】には、「特別図柄の可変表示の表示結果により大当りとするか否か判定する」と、それぞれ、記載されている。
　よって、刊行物１には、第１始動入賞口１３または第２始動入賞口１４に入賞した後、特別図柄表示器８において開始される特別図柄の可変表示の表示結果により大当りとするか否か判定することが記載されている。
（ｉ）上記（エ）【００３８】には、「特別可変入賞球装置２０は開閉板を備え、・・・開閉板が開放状態に制御されることによって、・・・大入賞口が開放状態になる」と記載されている。
　よって、刊行物１には、開閉板が開放状態に制御されることによって開放状態になる大入賞口がが記載されている。
（ｊ）上記（エ）【００３８】には、「特別可変入賞球装置２０は開閉板を備え、特別図柄表示器８に特定表示結果（大当り図柄）が導出表示されたときに生起する特定遊技状態（大当り遊技状態）においてソレノイド２１によって開閉板が開放状態に制御されることによって、・・・大入賞口が開放状態になる」と記載されている。
　また、上記（オ）【００５２】には、「大入賞口を形成する特別可変入賞球装置２０を開閉するソレノイド２１を遊技制御用マイクロコンピュータ５６０からの指令に従って駆動する」と、そして、同【００５０】には、「遊技制御用マイクロコンピュータ５６０（またはＣＰＵ５６）が実行する（または、処理を行う）ということは、具体的には、ＣＰＵ５６がプログラムに従って制御を実行することである」と、それぞれ、記載されている。
　そうすると、刊行物１には、特別図柄表示器８に特定表示結果が導出表示されたときに生起する特定遊技状態において、開閉板を開放状態に制御することによって大入賞口を開放状態とするＣＰＵ５６が記載されているといえる。
（ｋ、ｌ）上記（ク）【００９０】には、「ＣＰＵ５６は、・・・カウントスイッチ２３・・・の検出信号にもとづく賞球個数の設定などを行う賞球処理を実行する（ステップＳ３０）。具体的には、・・・カウントスイッチ２３・・・がオンしたことにもとづく入賞検出に応じて、払出制御基板３７に搭載されている払出制御用マイクロコンピュータに賞球個数を示す払出制御コマンド（賞球個数信号）を出力する。払出制御用マイクロコンピュータは、賞球個数を示す払出制御コマンドに応じて球払出装置９７を駆動する」と記載されている。
　よって、刊行物１には、カウントスイッチ２３がオンしたことにもとづく入賞検出に応じて出力される、賞球個数を示す払出制御コマンドに応じて駆動される球払出装置９７と、払出制御コマンドに応じて球払出装置９７を駆動する払出制御用マイクロコンピュータが記載されている。
（ｍ）上記（コ）【０３６１】には、「始動入賞にもとづいて特別図柄表示器８に可変表示される特別図柄の停止図柄が所定の図柄の組み合わせになると大当りになるタイプの遊技機（第１種パチンコ遊技機ということにする。）」、同【０３６２】には、「第２種パチンコ遊技機では、電動役物の入口および特定領域が不正行為を受けやすいので、磁界検出素子１３０・・・は、特に、電動役物の入口および特定領域に遊技球を不正に誘導する行為を発見できるように設けられていることが好ましい。・・・第１種パチンコ遊技機についても、・・・大入賞口に遊技球を不正に誘導したりする不正行為によって遊技店が損害を被るおそれがあるので、磁界検出素子１３０・・・を設けることは効果的である」と、それぞれ、記載されている。
　そうすると、刊行物１には、磁界検出素子１３０は、大入賞口に対する不正行為を発見できるように設けることが記載されているといえる。
　以上（ア）〜（コ）の記載事項及び上記（ａ）〜（ｍ）の認定事項を総合すれば、刊行物１には、以下の発明（以下、「引用発明」という。）が記載されている（ａ〜ｍは発明の構成を分説するため当審で付した。）。
「ａ　遊技球が入賞する第１始動入賞口１３、第２始動入賞口１４、大入賞口、入賞口２９，３０，３３，３９と、
ｂ　第１始動入賞口１３、第２始動入賞口１４、大入賞口、入賞口２９，３０，３３，３９の、それぞれに入賞した遊技球を検出する第１始動口スイッチ１３ａ、第２始動入賞口スイッチ１４ａ、カウントスイッチ２３、入賞口スイッチ２９ａ，３０ａ，３３ａ，３９ａと、
ｃ　第１始動口スイッチ１３ａ、第２始動口スイッチ１４ａ、カウントスイッチ２３、および入賞口スイッチ２９ａ，３０ａ，３３ａ，３９ａの検出信号にもとづき、スイッチ処理や賞球処理を行うＣＰＵ５６と、
ｄ　不正行為を検知するために磁気を検出する磁界検出素子１３０と、
ｅ　磁界検出素子１３０の検出電圧にもとづいて磁界検出用回路１４０が出力したエラー信号が遊技制御用マイクロコンピュータ５６０に入力されると異常報知を行うための制御を実行するＣＰＵ５６と、
　を備えた遊技機において、
ｇ　４つの磁界検出素子１３０Ａ，１３０Ｂ，１３０Ｃ，１３０Ｄが設置され、各々の磁界検出素子１３０Ａ，１３０Ｂ，１３０Ｃ，１３０Ｄが遊技領域の全体をカバーできるような特性を有する磁界検出素子１３０Ａ，１３０Ｂ，１３０Ｃ，１３０Ｄを使用し、
ｈ　第１始動入賞口１３または第２始動入賞口１４に入賞した後、特別図柄表示器８において開始される特別図柄の可変表示の表示結果により大当りとするか否か判定し、
ｉ　開閉板が開放状態に制御されることによって開放状態になる大入賞口と、
ｊ　特別図柄表示器８に特定表示結果が導出表示されたときに生起する特定遊技状態において、開閉板を開放状態に制御することによって大入賞口を開放状態とするＣＰＵ５６と、
ｋ　カウントスイッチ２３がオンしたことにもとづく入賞検出に応じて出力される、賞球個数を示す払出制御コマンドに応じて駆動される球払出装置９７と、
ｌ　払出制御コマンドに応じて球払出装置９７を駆動する払出制御用マイクロコンピュータと、
　を備え、
ｍ　磁界検出素子１３０は、大入賞口に対する不正行為を発見できるように設けられている遊技機。」　
（２−２）刊行物２に記載された事項
　原査定の拒絶の理由に引用された本願の出願（優先日：平成２４年５月１５日）前に頒布された刊行物である特開２０１０―２３０４５１号公報（以下、「刊行物２」という。）には、図面と共に次の事項が記載されている（下線は当審で付した。）。
（サ）「【０００１】
　本発明は、
遊技盤（いわゆるパチンコ台）で用いる金属球である遊技球（いわゆるパチンコ玉）の有無（あるいは通過）を検出し、遊技球の個数の検出などに利用される遊技球検出装置
（シ）「【０００３】
　ところで、上述したような遊技球検出装置が遊技盤上に設けられた
入賞口を通過する遊技球
遊技球の通過を誤検出させるような不正行為
不正行為による誤検出を防止するものとして、外部から照射される電波を電波センサで検出し、電波センサが電波を検出したときは遊技球の検出を無効と
する遊技球検出装置
（ス）「【０００６】
　本発明は上記事情に鑑みて為されたものであり、その目的は、
外部から電波が照射されたことによる誤検出を確実に防止する
（セ）「【００１７】
　一般に、遊技盤（パチンコ台）は遊技球（パチンコ玉）をパチンコ台の背面側から前面側へ賞玉又は貸玉として払い出している。この賞玉や貸玉の払い出しのために、パチンコ台には遊技球払い出し装置が設けられている。この遊技球払い出し装置は、パチンコ台の上部に設けられて払い出し指令された所定数の遊技球（パチンコ玉）を当該パチンコ台の前面下部に位置する上皿又は下皿に払い出すものであって、上皿又は下皿に払い出す遊技球の個数を遊技球検出装置を使って計数し、計数された個数が前記払い出し指令による所定数に達したときに払い出し動作を停止するようになっている。ここで、従来技術で説明したように
外部から電波を照射する不正行為によって、実際には遊技球が有る（通過している）にも関わらず、遊技球が無い（通過していない）と遊技球検出装置が誤検出した
不正行為による遊技球払い出し装置の誤動作を防ぐことを目的として
（ソ）「【００２１】
　上述のように構成される
第１及び第２の近接センサＳ１，Ｓ２は、
遊技球払い出し装置によって払い出しされる遊技球が第１の近接センサＳ１の通過孔２を通過する箇所に設置される
（タ）「【００２４】
　ここで、本実施形態の遊技球検出装置では、
実際に遊技球の有無（通過）を検出する第１の近接センサＳ１と、外部から照射される電波を検出する第２の近接センサＳ２
第１の近接センサＳ１のセンサ本体１と第２の近接センサＳ２のセンサ本体１とを一体に形成
　上記（サ）〜（タ）の記載事項から、以下の事項が導かれる（「刊行物２の記載事項」という。）。
「遊技盤で用いる金属球である遊技球の有無を検出し、遊技球の個数の検出などに利用される遊技球検出装置において、外部から電波を照射する不正行為による遊技球払い出し装置における遊技球の有無に関する誤検出を防ぐことを目的として、実際に遊技球の有無を検出する第１の近接センサＳ１のセンサ本体１と、外部から照射される電波を検出する第２の近接センサＳ２のセンサ本体１とを一体に形成し、遊技球払い出し装置によって払い出しされる遊技球が第１の近接センサＳ１の通過孔２を通過する箇所に設置された遊技球検出装置」
（３）対比
　本願補正発明と引用発明とを対比する。なお、見出しは（ａ）〜（ｍ）とし、本願補正発明、引用発明の分説に対応させている。
（ａ）引用発明の「遊技球」及び「第１始動入賞口１３、第２始動入賞口１４、大入賞口、入賞口２９，３０，３３，３９」は、それぞれ、本願補正発明の「遊技媒体」及び「通過部」に相当する。
　よって、引用発明の「遊技球が入賞する第１始動入賞口１３、第２始動入賞口１４、大入賞口、入賞口２９，３０，３３，３９」は、本願補正発明の「遊技媒体が通過する通過部」に相当する。
（ｂ）引用発明の「第１始動入賞口１３、第２始動入賞口１４、大入賞口、入賞口２９，３０，３３，３９の、それぞれに入賞した遊技球を検出する」ことは、本願補正発明の「当該通過部を遊技媒体が通過したことを検知する」ことに相当するから、引用発明の「第１始動口スイッチ１３ａ、第２始動入賞口スイッチ１４ａ、カウントスイッチ２３、入賞口スイッチ２９ａ，３０ａ，３３ａ，３９ａ」は、本願補正発明の「媒体検知手段」に相当する。
（ｃ）引用発明の「第１始動口スイッチ１３ａ、第２始動口スイッチ１４ａ、カウントスイッチ２３、および入賞口スイッチ２９ａ，３０ａ，３３ａ，３９ａの検出信号にもとづ」くことは、本願補正発明の「当該媒体検知手段により前記通過部を遊技媒体が通過したことが検知されたことに基づ」くことに相当する。
　また、引用発明の「スイッチ処理や賞球処理」は、本願補正発明の「予め定められた媒体検知用処理」に相当する。
　よって、引用発明の「ＣＰＵ５６」は、本願補正発明の「媒体検知用処理実行手段」としての機能を有する。
（ｄ）引用発明の「不正行為を検知するために磁気を検出する」ことは、本願補正発明の「異常な事象の発生を検知する」ことに相当するから、引用発明の「磁界検出素子１３０」は、本願補正発明の「異常検知手段」に相当する。
（ｅ）引用発明の「磁界検出素子１３０の検出電圧にもとづ」くことは、本願補正発明の「当該異常検知手段により前記異常な事象の発生が検知されたことに基づ」くことに相当する。
　そうすると、引用発明の「磁界検出用回路１４０が出力したエラー信号が遊技制御用マイクロコンピュータ５６０に入力されると異常報知を行うための制御を実行する」ことは、本願補正発明の「予め定められた異常検知用処理を実行する」ことに相当するから、引用発明の「ＣＰＵ５６」は、本願補正発明の「異常検知用処理実行手段」としての機能を有する。
（ｇ）上記（ｄ）より、引用発明の「磁界検出素子１３０」は、本願補正発明の「異常検知手段」に相当するから、引用発明の「４つの磁界検出素子１３０Ａ，１３０Ｂ，１３０Ｃ，１３０Ｄが設置され」ることは、本願補正発明と、異常検知手段を複数有する点で共通する。
　そして、引用発明の「各々の磁界検出素子１３０Ａ，１３０Ｂ，１３０Ｃ，１３０Ｄ」は、それぞれが「遊技領域の全体をカバーできるような特性を有する」ものであるから、そのうちの２つの磁界検出素子を選択した際に、一方の磁界検出素子による検知範囲と、他方の磁界検出素子による検知範囲と、に含まれる範囲に遊技領域に設けられた「特定通過部」が存在することは明らかである。
　そうすると、引用発明の「４つの磁界検出素子１３０Ａ，１３０Ｂ，１３０Ｃ，１３０Ｄが設置され、各々の磁界検出素子１３０Ａ，１３０Ｂ，１３０Ｃ，１３０Ｄが遊技領域の全体をカバーできるような特性を有する磁界検出素子１３０Ａ，１３０Ｂ，１３０Ｃ，１３０Ｄを使用」することは、本願補正発明の構成Ｇと、異常検知手段を複数有し、複数の異常検知手段のうちの第１の異常検知手段における検知範囲と、複数の異常検知手段のうちの第２の異常検知手段による検知範囲と、に含まれるように、遊技媒体が通過可能な特定通過部が設けられている点で共通する。
（ｈ）引用発明の「第１始動入賞口１３または第２始動入賞口１４に入賞した」ことは、上記（ａ）より、本願補正発明の「通過部を遊技媒体が通過した」ことに相当する。
　「遊技媒体が通過したことに基づいて」、引用発明の「特別図柄表示器８において開始される特別図柄の可変表示の表示結果により大当りとするか否か判定」することは、「所定の判定を実行」することといえるから、引用発明は「判定手段」を備えるものである。
　そして、引用発明の「第１始動入賞口１３または第２始動入賞口１４」は、本願補正発明の「特定通過部」に相当するといえる。
　そうすると、引用発明の「第１始動入賞口１３または第２始動入賞口１４に入賞した後、特別図柄表示器８において開始される特別図柄の可変表示の表示結果により大当りとするか否か判定」することは、本願補正発明の「前記特定通過部を遊技媒体が通過したことに基づいて所定の判定を実行する判定手段」を備えることに相当する。
（ｉ）上記（ａ）より、引用発明の「大入賞口」は、本願補正発明の「通過部」に相当し、「遊技媒体が通過」可能なものであるから、引用発明の「開閉板が開放状態に制御されることによって開放状態になる大入賞口」は、本願補正発明の「遊技媒体が通過可能な第１状態」になる通過部に相当する。
　そうすると、引用発明の「大入賞口」が「開閉板が開放状態に制御され」ない状態は、開閉板が閉じた状態であるから、本願補正発明の「第１状態よりも遊技媒体が」「通過できない第２状態」に相当するということができ、よって、「第１状態」と「第２状態」とを有する引用発明の「大入賞口」は、本願補正発明の「第１状態」と「第２状態とに切換可能な可変通過部」に相当する。
　よって、引用発明の「開閉板が開放状態に制御されることによって開放状態になる大入賞口」は、本願補正発明の「遊技媒体が通過可能な第１状態と、当該第１状態よりも遊技媒体が通過できない第２状態とに切換可能な可変通過部」に相当する。
（ｊ）上記（ｉ）によると、引用発明の「開閉板を開放状態に制御することによって大入賞口を開放状態とする」ことは、開閉板を閉状態から開放状態とすることであるから、本願補正発明の「前記可変通過部を前記第２状態から前記第１状態と」することに相当する。
　上記（ｈ）より、引用発明の「特別図柄表示器８」に「表示結果が導出表示」されるのは、本願補正発明の「判定手段による判定」が行われたときであるから、引用発明の「特別図柄表示器８に特定表示結果が導出表示されたときに生起する特定遊技状態」は、本願補正発明の「前記判定手段による判定結果に基づ」くものに相当する。
　そして、引用発明は、「特定遊技状態において」、「大入賞口を開放状態」とするものであるから、「特定遊技状態」が終了すれば、「大入賞口」の「開放状態」も終了するものであり、「特定遊技状態」であるか否かに応じて、「大入賞口」を「開放状態」とするか否か「切換制御」しているといえる。
　そうすると、引用発明の「特定遊技状態において」、「大入賞口を開放状態とする」ことは、本願補正発明の「判定結果に基づいて、前記可変通過部を前記第２状態から前記第１状態とし、その後前記第２状態とする切換制御を実行する」ことに相当し、よって、引用発明の「ＣＰＵ５６」は、本願補正発明の「切換制御手段」の機能を有するものといえる。
（ｋ）引用発明の「カウントスイッチ２３がオンしたことにもとづく入賞検出に応じて」は、本願補正発明の「前記可変通過部を遊技媒体が通過したことに基づいて」に相当する。
　そして、引用発明の「賞球個数を示す払出制御コマンドに応じて駆動される」ことは、本願補正発明の「所定数の遊技媒体の払い出しを行う」ことに相当する。
　よって、引用発明の「球払出装置９７」は、本願補正発明の「払出手段」に相当する。
（ｌ）引用発明の「払出制御コマンドに応じて球払出装置９７を駆動する」ことは、本願補正発明の「前記払出手段による遊技媒体の払出制御を実行する」ことに相当する。
　よって、引用発明の「払出制御用マイクロコンピュータ」は、本願補正発明の「払出制御手段」としての機能を有する。
　上記（ａ）〜（ｌ）の対比により、本願補正発明と引用発明とは、
「Ａ　遊技媒体が通過する通過部と、
Ｂ　当該通過部を遊技媒体が通過したことを検知する媒体検知手段と、
Ｃ　当該媒体検知手段により前記通過部を遊技媒体が通過したことが検知されたことに基づいて予め定められた媒体検知用処理を実行する媒体検知用処理実行手段と、
Ｄ　異常な事象の発生を検知する異常検知手段と、
Ｅ　当該異常検知手段により前記異常な事象の発生が検知されたことに基づいて予め定められた異常検知用処理を実行する異常検知用処理実行手段と、
を備えた遊技機において、
Ｇ’　異常検知手段を複数有し、
　複数の異常検知手段のうちの第１の異常検知手段における検知範囲と、複数の異常検知手段のうちの第２の異常検知手段による検知範囲と、に含まれるように、遊技媒体が通過可能な特定通過部が設けられており、
Ｈ　前記特定通過部を遊技媒体が通過したことに基づいて所定の判定を実行する判定手段と、
Ｉ　遊技媒体が通過可能な第１状態と、当該第１状態よりも遊技媒体が通過できない第２状態とに切換可能な可変通過部と、
                              
Ｊ　前記判定手段による判定結果に基づいて、前記可変通過部を前記第２状態から前記第１状態とし、その後前記第２状態とする切換制御を実行する切換制御手段と、
Ｋ　前記可変通過部を遊技媒体が通過したことに基づいて、所定数の遊技媒体の払い出しを行う払出手段と、
Ｌ　前記払出手段による遊技媒体の払出制御を実行する払出制御手段と、
を備える遊技機。」
である点で一致し、以下の点で相違する。
［相違点１］
　本願補正発明では、異常検知手段は、媒体検知手段と一体のユニット体として設けられているのに対し、引用発明では、このような特定がされていない点（構成Ｆ）。
［相違点２］
　本願補正発明では、ユニット体を複数有し、複数の前記ユニット体のうちの第１のユニット体における前記異常検知手段による検知範囲と、複数の前記ユニット体のうちの第２のユニット体における前記異常検知手段による検知範囲と、に含まれるように、遊技媒体が通過可能な特定通過部が設けられているのに対し、引用発明では、異常検知手段を複数有し、複数の異常検知手段のうちの第１の異常検知手段における検知範囲と、複数の異常検知手段のうちの第２の異常検知手段による検知範囲と、に含まれるように、遊技媒体が通過可能な特定通過部が設けられている点（構成Ｇ）。
［相違点３］
　本願補正発明では、第１のユニット体は、可変通過部に対して設けられているのに対し、引用発明では、可変通過部である大入賞口にカウントスイッチ２３が設けられ、磁界検出素子１３０は、大入賞口に対する不正行為を発見できるように設けられている点（構成Ｍ）。
［相違点４］
　本願補正発明では、第２のユニット体は、払出手段に対して設けられているのに対し、引用発明では、このような特定がされておらず、払出手段に媒体検知手段が設けられているか否かも明らかでない点（構成Ｎ）。
（４）判断
　上記相違点について検討する。
　相違点１〜４は、「ユニット体」に関する事項であり、関連するのでまとめて検討する。
　刊行物２の記載事項の「第１の近接センサＳ１」、「第２の近接センサＳ２」は、それぞれ、遊技球の有無を検出するもの、外部から照射される電波を検出するものであるから、本願補正発明の「媒体検知手段」、「異常検知手段」に相当する。
　そして、刊行物２の記載事項の「第１の近接センサＳ１のセンサ本体１」と、「第２の近接センサＳ２のセンサ本体１とを一体に形成」したものは、本願補正発明の「一体のユニット体」に相当するといえる。
　また、刊行物２の記載事項の、「第１の近接センサＳ１のセンサ本体１」と、「第２の近接センサＳ２のセンサ本体１とを一体に形成」し、「遊技球払い出し装置によって払い出しされる遊技球が第１の近接センサＳ１の通過孔２を通過する箇所に設置」されたことは、本願補正発明の「ユニット体は、前記払出手段に対して設けられている」ことに相当する。
　さらに、引用発明において、大入賞口に対する不正行為を発見できるように設けられた磁界検出素子１３０は、可変通過部である大入賞口を検知対象とするものであるから、カウントスイッチ２３と共に磁界検出素子１３０を大入賞口の近傍に設ける動機付けはある。
　加えて、刊行物２には、上記（シ）【０００３】に摘記したように、入賞口を通過する遊技球の不正行為による誤検出を防止する遊技球検出装置についても記載されており、刊行物２の記載事項の遊技球検出装置を入賞口における遊技球の有無に関する誤検出を防ぐように設置することが示唆されているといえる。
　そして、磁気による不正に関わる引用発明も、電波による不正に関わる刊行物２の記載事項もいずれも遊技球通過部に対する非接触の不正行為を非接触型の検出器で検出するものである点で共通する。
　したがって、引用発明の可変通過部である大入賞口に設けられた媒体検出手段であるカウントスイッチ２３と可変通過部である大入賞口に対する不正行為を発見できるように設けられた異常検知手段である磁界検出素子１３０を、刊行物２の記載事項に倣って、第１の近接センサＳ１と第２の近接センサＳ２のように一体のユニット体として、上記相違点１、３に係る本願補正発明の構成とすることは、当業者が容易になし得たことである。
　また、引用発明の球払出装置９７が媒体検知手段を設けていることは自明であるから、引用発明の複数設けた異常検知手段のうちの第２の異常検知手段を、刊行物２の記載事項に倣って、媒体検知手段と一体のユニット体として、上記相違点４に係る本願発明の構成とすることは、当業者が容易になし得たことである。
　さらに、これらの結果として、上記相違点２に係る本願補正発明の構成が導かれることは、明らかである。
（５）審判請求人の主張について
　審判請求書において、請求人は、「引用文献２の遊技球払い出し装置における第１の近接センサＳ１と第２の近接センサＳ２との一体式のセンサを、引用文献１の磁界検出素子に適用したとしたうえで、更に、引用文献１の特別可変入賞装置２０にも、一体式のセンサを設けるようにしたとしても、これら一体式のセンサにおける磁界検出素子の検知範囲の重複する位置に始動入賞口１３，１４が存在するようになるとは考えられない。このようにするためには、両センサの検知範囲を調節したり、両装置の位置や始動入賞口１３，１４の位置を調節したりする必要があるところ、引用文献１や引用文献２にはそのような記載や示唆は何らされていない。これは、引用文献１において検知範囲を重複させていることや、その重複させている位置に始動入賞口１３，１４を設けている、という技術的思想が開示されていないことからも明らかである。」と主張している（７頁１２〜２２行）。
　この主張について検討すると、上記（３）（ｇ）で検討のとおり、引用発明の「
各々の
それぞれが
　よって、請求人の主張は採用できない。
（６）小括
　よって、本願補正発明は引用発明、刊行物２の記載事項に基づいて当業者が容易に発明できたものであり、特許法第２９条第２項の規定に基づいて特許出願の際独立して特許を受けることができない。
４．むすび
　以上より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
　本願補正発明は、上記第２のとおり却下されたので、本願の請求項１に係る発明（以下、「本願発明」という。）は、平成２８年６月２３日付けの手続補正書により補正された、上記第２の１．で補正前として記載されたとおりのものである。
１．刊行物に記載された事項
　原査定の拒絶の理由に引用された刊行物１、２の記載事項、引用発明は、上記第２の３．（２−１）、（２−２）に記載したとおりである。
２．対比・判断
　本願発明は、本願補正発明の発明特定事項から、上記第２の２．（１）、（２）で示した限定事項を省いたものであるから、上記第２の３．（３）で示した［相違点３］、［相違点４］に係る構成が省かれることとなる。
　そうすると、本願発明と引用発明とは、上記第２の３．（３）で示した［相違点１］、［相違点２］と同様の相違点のみで相違し、当該相違点に係る本願発明の構成については、上記第２の３．（４）と同様の理由により、引用発明と刊行物２の記載事項に基づいて当業者が容易になし得たものである。
３．むすび
　以上のとおりであるから、本願発明は、引用発明と刊行物２の記載事項に基づいて当業者が容易に発明できたものであり、特許法第２９条第２項の規定により特許を受けることができないものである。
　したがって、その余の請求項について検討するまでもなく、本願は、拒絶されるべきものである。
　よって、結論のとおり審決する。